(57)【要約】【課題】衛星回線の空き状況に応じて大容量・短時間、小容量・長時間等の任意の伝送を自動的に行なうことができ、衛星回線の有効利用率の向上を図り得る伝送システムを提供する。【解決手段】衛星回線に設けられる監視・制御回線を利用して、子局ＲＳ１，ＲＳ２から親局ＴＳへ伝送信号の優先順位及び伝送目的を含む送信要求を通知し、親局ＴＳの監視部２２にて衛星回線の回線空き状況を監視し、伝送帯域コントローラ２１にてこの監視結果及び優先順位及び伝送目的に基づいて符号化回路１１、変調回路１２、モデム１９１〜１９ｎを制御するとともに、衛星回線の第１可変領域及び第２可変領域を可変設定するための制御情報を生成し、この制御情報を監視・制御回線を介して子局ＲＳ１，ＲＳ２に通知し、伝送信号に対する伝送帯域の割り当て制御を実行するようにしている。【選択図】      図１
2007251773.tif 000002
【特許請求の範囲】
【請求項１】
送信側にて伝送信号を、最高優先順位が割り当てられた信号伝送用の第１伝送帯域及び前記最高優先順位以外の信号伝送用の第２伝送帯域から成る衛星回線へ送出し、受信側で前記衛星回線からの伝送信号を受信する伝送システムにおいて、
前記送信側は、
前記衛星回線の第１及び第２伝送帯域の使用状況を監視する監視手段と、
前記受信側から前記衛星回線に設けられる監視・制御回線を介して送られ、当該伝送信号の優先順位及び伝送目的を含む送信要求を受信する要求受信手段と、
この要求受信手段で得られた前記送信要求及び前記監視手段の監視結果に基づいて、前記第１及び第２伝送帯域それぞれの帯域幅を制御し前記伝送信号に対する伝送帯域割り当て制御を実行する制御手段とを備え、
前記受信側は、
前記送信要求を前記衛星回線の監視・制御回線を介して前記送信側へ送信する要求送信手段を備えたことを特徴とする伝送システム。
【請求項２】
前記第１伝送帯域が複数の映像回線からなるとき、
前記監視手段は、前記複数の映像回線の空き状況を監視することを特徴とする請求項１記載の伝送システム。
【請求項３】
送信側にて伝送信号を、最高優先順位が割り当てられた信号伝送用の第１伝送帯域及び前記最高優先順位以外の信号伝送用の第２伝送帯域から成る衛星回線へ送出し、受信側で前記衛星回線からの伝送信号を受信する伝送システムで前記送信側として使用される送信装置において、
前記衛星回線の第１及び第２伝送帯域の使用状況を監視する監視手段と、
前記受信側から前記衛星回線に設けられる監視・制御回線を介して送られ、当該伝送信号の優先順位及び伝送目的を含む送信要求を受信する要求受信手段と、
この要求受信手段で得られた前記送信要求及び前記監視手段の監視結果に基づいて、前記第１及び第２伝送帯域それぞれの帯域幅を制御し前記伝送信号に対する伝送帯域割り当て制御を実行する制御手段とを具備したことを特徴とする伝送システムの送信装置。
【請求項４】
送信側にて伝送信号を、最高優先順位が割り当てられた信号伝送用の第１伝送帯域及び前記最高優先順位以外の信号伝送用の第２伝送帯域から成る衛星回線へ送出し、受信側で前記衛星回線からの伝送信号を受信する伝送システムで前記受信側として使用される受信装置において、
伝送信号の優先順位及び伝送目的を含む送信要求を前記衛星回線に設けられる監視・制御回線を介して前記送信側へ送信する要求送信手段を具備したことを特徴とする伝送システムの受信装置。
【発明の詳細な説明】
【技術分野】
【０００１】
この発明は、送信局から複数の受信局に対し衛星回線を介して映像・音声・データ等の伝送を行なう伝送システム及びその送信装置及び受信装置に関する。
【背景技術】
【０００２】
放送システムにあっては、送信局と受信局とを衛星回線により接続する伝送システムが構築されている。この衛星回線は、予め決められた帯域のうち、映像・音声・データ伝送用の複数の映像回線と、親局と子局との間で通信を行なうための連絡回線とが周波数軸上で割り当てられている。
【０００３】
このようなシステムを用いれば、親局は遠隔地に設置される多数の子局に対し放送信号を伝送することができる。
【０００４】
ところで、上記伝送システムでは、衛星回線中で割り当てられる映像回線の最大回線数が予め決められているため、伝送頻度が高い場合には回線がすぐに埋まってしまい、伝送頻度が低い場合には回線が空いたままとなることが多く、衛星回線の使用効率が悪い状況となる。
【０００５】
なお、従来では、衛星回線とは別に、地上回線網を介して親局と各子局とを接続し、衛星回線が埋まった場合に、地上回線網を介して映像・音声・データの伝送を行なう手法もある（例えば、特許文献１）。
【特許文献１】特開２００１−５３８２４号公報。
【発明の開示】
【発明が解決しようとする課題】
【０００６】
しかしながら、上記手法では、衛星回線とは別に、親局と各子局との間に地上回線網を敷設しなければならないため、システム構成が大掛かりなものとなるとともに、その設備コストも大きくなってしまうことになる。
【０００７】
そこで、この発明の目的は、衛星回線の空き状況に応じて大容量・短時間、小容量・長時間等の任意の伝送を自動的に行なうことができ、衛星回線の有効利用率の向上を図り得る伝送システム及びその送信装置及び受信装置を提供することにある。
【課題を解決するための手段】
【０００８】
この発明は、上記目的を達成するために、以下のように構成される。  
送信側にて伝送信号を、最高優先順位が割り当てられた信号伝送用の第１伝送帯域及び最高優先順位以外の信号伝送用の第２伝送帯域から成る衛星回線へ送出し、受信側で衛星回線からの伝送信号を受信する伝送システムにおいて、送信側は、衛星回線の第１及び第２伝送帯域の使用状況を監視する監視手段と、受信側から衛星回線に設けられる監視・制御回線を介して送られ、当該伝送信号の優先順位及び伝送目的を含む送信要求を受信する要求受信手段と、この要求受信手段で得られた送信要求及び監視手段の監視結果に基づいて、第１及び第２伝送帯域それぞれの帯域幅を制御し伝送信号に対する伝送帯域割り当て制御を実行する制御手段とを備え、受信側は、送信要求を衛星回線の監視・制御回線を介して送信側へ送信する要求送信手段を備えるようにしたものである。
【０００９】
この構成によれば、衛星回線に設けられる監視・制御回線を利用して、受信側から送信側へ伝送信号の優先順位及び伝送目的が通知され、送信側にて衛星回線の第１及び第２伝送帯域の使用状況が監視され、この監視結果及び優先順位及び伝送目的に基づいて伝送信号に対する伝送帯域の割り当て制御が実行される。すなわち、第１及び第２伝送帯域それぞれの帯域幅の制御を、人手を要することなく送信側と受信側とが協働して効率良く実行することができる。
【００１０】
従って、衛星回線の第１及び第２伝送帯域の使用状況、伝送信号の優先順位及び伝送目的に応じて適切な伝送信号の伝送帯域割り当て処理を行うことができ、これにより衛星回線上の限られた伝送帯域の有効利用率を高めることができる。
【発明の効果】
【００１１】
以上詳述したようにこの発明によれば、衛星回線の空き状況に応じて大容量・短時間、小容量・長時間等の任意の伝送を自動的に行なうことができ、衛星回線の有効利用率の向上を図り得る伝送システム及びその送信装置及び受信装置を提供することができる。
【発明を実施するための最良の形態】
【００１２】
以下、この発明の実施形態について図面を参照して詳細に説明する。  
図１は、この発明に係わる伝送システムの一実施形態を示す概略構成図であり、ＴＳは親局、ＲＳ１，ＲＳ２は子局をそれぞれ示している。
【００１３】
先ず親局ＴＳは、図示しない放送素材送出処理部から出力された放送素材データを符号化回路１１に入力している。符号化回路１１は、入力された放送素材データを符号化し、この符号化データを変調回路１２に出力する。変調回路１２は、入力された符号化データを所定の変調方式により変調し、この変調信号を合成・分配器１３を介して送受信部（Ｔ／Ｒ）１４に供給する。
【００１４】
送受信部１４は、上記変調信号を周波数変換したのち所定の送信電力レベルに増幅し、この増幅された放送信号をアンテナ１５から衛星回線により衛星ＳＡＴに向け送信する。
【００１５】
また、送受信部１４は、衛星ＳＡＴから到来する放送信号を受信し、この受信信号を合成・分配器１３を介して復調回路１６に供給する。復調回路１６は、受信信号をデジタル復調してベースバンドの符号化データを復号回路１７に出力する。復号回路１７は、入力された符号化データを復号して元の放送素材データに戻す。
【００１６】
また、親局ＴＳには、連絡回線部のデータ送出装置を構成するデータ伝送アダプタ１８と、モデム１９１〜１９ｎとが設けられる。また、データ伝送アダプタ１８には、ルータＲＴ１及びＬＡＮを介して電話機ＴＥＬ１及びサーバ装置ＳＶ１，ＳＶ２，ＳＶ３が接続される。電話機ＴＥＬ及びサーバ装置ＳＶ１，ＳＶ２，ＳＶ３から発生したデータは、ルータＲＴ１を介してデータ伝送アダプタ１８に蓄積される。
【００１７】
データ伝送アダプタ１８は、蓄積された情報をモデム１９１〜１９ｎを介して合成・分配器１３に出力し、連絡回線を使用したデータ信号を生成する。
【００１８】
合成・分配器１３は、上記変調回路１２から出力される放送信号に、上記連絡回線を使用したデータ信号を合成する。そして、この合成信号を上記送受信部１４により送信させる。
【００１９】
さらに、親局ＴＳには、制御手段を構成するモデム２０及び伝送帯域コントローラ２１及び監視部２２が備えられる。モデム２０は、子局ＲＳ１，ＲＳ２から衛星回線中に設けられた監視・制御回線を介して送られる送信要求を受信し、この送信要求を伝送帯域コントローラ２１に出力する。
【００２０】
監視部２２は、モデム２０を介して衛星回線の映像回線及び映像回線以外の回線の使用状況を監視する。
【００２１】
伝送帯域コントローラ２１は、上記送信要求及び上記監視部２２による監視結果に基づいて映像回線からなる伝送帯域及び連絡回線及び映像回線以外の回線からなる伝送帯域それぞれの帯域幅を制御し放送信号に対し伝送帯域を割り当てるように子局ＲＳ１，ＲＳ２の変調回線モデムを制御する。このとき、符号化回路１１、変調回路１２、モデム１９１〜１９ｎを制御するとともに、上記制御に必要な制御情報を監視・制御回線を介して各子局ＲＳ１，ＲＳ２に送信する。
【００２２】
一方、子局ＲＳ１は次のように構成される。すなわち、親局ＴＳから衛星回線により伝送された放送信号は、アンテナ３１を介して送受信部３２で受信されたのち合成・分配器３３を介して復調回路３４に入力され、ここで所定の復調方式で復調され、復号回路３５で所定の復号処理が施される。この復号データは、製作設備３６に供給される。
【００２３】
また、親局ＴＳから伝送された連絡回線を使用したデータ信号は、アンテナ３１及び送受信部３２で受信されたのち合成・分配器３３、モデム３７、データ伝送アダプタ３８及びルータＲＴ２を介して制御部３９に出力される。また、制御部３９には、製作設備３６からの解析データがサーバ装置ＳＶ４を介して供給される。
【００２４】
制御部３９は、必要に応じて伝送信号の優先順位及び伝送目的を含む送信要求を生成し、この送信要求をルータＲＴ２、データ伝送アダプタ３８及びモデム３７経由で衛星回線の監視・制御回線に送信する。また、親局ＴＳからの制御情報をモデム３７、データ伝送アダプタ３８及びルータＲＴ２経由で受信し、この制御情報に従って復調回路３４、復号回路３５及びモデム３７を制御する。
【００２５】
また、子局ＲＳ１は、上記親局ＴＳと同様に、符号化回路４０及び変調回路４１を備えている。すなわち、製作設備３６により制作された放送素材データは、符号化回路４０に入力される。符号化回路４０は、入力された放送素材データを符号化し、この符号化データを変調回路４１に出力する。変調回路４１は、入力された符号化データを所定の変調方式により変調し、この変調信号を合成・分配器３３を介して送受信部３２に供給する。
【００２６】
すると、送受信部３２は、上記変調信号を周波数変換したのち所定の送信電力レベルに増幅し、この増幅された放送信号をアンテナ３１から所定の映像回線により衛星ＳＡＴに向け送信する。
【００２７】
また、上記子局ＲＳ２の機能構成については、上記子局ＲＳ１と同様であるので説明を省略する。
【００２８】
次に、以上のように構成された伝送システムの動作を図２及び図３を参照して説明する。図２及び図３は、衛星回線における周波数配置を示す図である。
【００２９】
通常、衛星回線は、図２に示すように、複数の映像回線からなる帯域及び複数の連絡回線からなる帯域が周波数軸上に配置され、それぞれの帯域幅が固定である。この場合、映像回線の使用頻度が高いと、全映像回線が埋まってしまう恐れがあり、映像・音声等を親局ＴＳから各子局ＲＳ１，ＲＳ２へ伝送できなくなる。
【００３０】
そこで、本実施形態では、親局ＴＳで子局ＲＳ１，ＲＳ２からの送信要求を監視・制御するための監視・制御回線を衛星回線中に設けて、子局ＲＳ１，ＲＳ２からの送信要求を常時監視し、回線使用管理を実施する。ここでは、図３に示すように、２回線分の映像回線を固定とし、残りを帯域可変制御領域とする。また、帯域可変制御領域は、映像回線の使用状況に合わせて任意に可変できる領域（以下、第１可変領域と称する）と、領域の大きさ、伝送信号の大きさ、優先順位に合わせて任意に可変できる領域（以下、第２可変領域と称する）とに分けられる。また、連絡回線には、監視・制御回線が割り当てられる。
【００３１】
親局ＴＳは、図４に示す制御処理例を実行する。
【００３２】
まず、親局ＴＳは、モデム２０により子局ＲＳ１，ＲＳ２から到来する送信要求を受信すると（ステップＳＴ４ａ）、この送信要求から伝送信号が映像であるか否かの判断を行う（ステップＳＴ４ｂ）。
【００３３】
ここで、映像信号である場合（Ｙｅｓ）、親局ＴＳは監視部２２により２回線分の映像回線に空きがあるか否かの判断を行い（ステップＳＴ４ｃ）、２回線分の映像回線に空きがない場合に（Ｎｏ）、伝送帯域コントローラ２１により上記第１可変領域に映像回線を割り当てるための制御情報を生成し、この制御情報を子局ＲＳ１，ＲＳ２に対し監視・制御回線を介して送信を行う（ステップＳＴ４ｄ）
一方、上記ステップＳＴ４ｂにおいて映像以外の音声やデータ等である場合（Ｎｏ）、親局ＲＳは監視部２２により第２可変領域に空きがあるか否かの判断を行い（ステップＳＴ４ｅ）、空きがない場合に（Ｎｏ）、伝送帯域コントローラ２１により第２可変領域を広げるための制御情報を生成し、この制御情報を子局ＲＳ１，ＲＳ２に対し監視・制御回線を介して送信を行う（ステップＳＴ４ｆ）。
【００３４】
なお、上記ステップＳＴ４ｃ及びステップＳＴ４ｅにおいて、回線に空きがある場合（Ｙｅｓ）、親局ＴＳは処理を終了する。
【００３５】
従って、衛星回線の空き状況により大容量・短時間、小容量・長時間等の任意の伝送を自動的に行なうことができる。
【００３６】
以上のように上記実施形態では、衛星回線に設けられる監視・制御回線を利用して、子局ＲＳ１，ＲＳ２から親局ＴＳへ伝送信号の優先順位及び伝送目的を含む送信要求を通知し、親局ＴＳにて衛星回線の回線空き状況を監視し、この監視結果及び優先順位及び伝送目的に基づいて符号化回路１１、変調回路１２、モデム１９１〜１９ｎを制御するとともに、衛星回線の第１可変領域及び第２可変領域を可変設定するための制御情報を生成し、この制御情報を監視・制御回線を介して子局ＲＳ１，ＲＳ２に通知し、伝送信号に対する伝送帯域の割り当て制御を実行するようにしている。すなわち、衛星回線の第１及び第２可変領域それぞれの帯域幅の制御を、人手を要することなく親局ＴＳと子局ＲＳ１，ＲＳ２とが協働して効率良く実行することができる。
【００３７】
従って、衛星回線の回線空き状況、伝送信号の優先順位及び伝送目的に応じて適切な伝送信号の伝送帯域割り当て処理を行うことができ、これにより衛星回線上の限られた伝送帯域の有効利用率を高めることができる。
【００３８】
なお、上記実施形態では、２つの子局ＲＳ１，ＲＳ２の場合について説明したが、さらに多数の子局を備える場合にも同様に実施可能である。
【００３９】
その他、親局及び子局の構成、衛星回線の伝送帯域の可変制御方法及び伝送信号に対する伝送帯域の割り当て方法、伝送信号の種類等についても、この発明の要旨を逸脱しない範囲で種々変形して実施できる。
【図面の簡単な説明】
【００４０】
【図１】この発明に係わる伝送システムの一実施形態を示す概略構成図。
【図２】以前に、衛星回線に割り当てられた映像回線及び連絡回線の周波数配置を示す図。
【図３】本実施形態における衛星回線に割り当てられた映像回線及び映像回線以外の回線及び連絡回線の周波数配置を示す図。
【図４】本実施形態における親局の制御処理手順を示すフローチャート。
【符号の説明】
【００４１】
１１，４０…符号化回路、１２，４１…変調回路、１３，３３…合成・分配器、１４，３２…送受信部、１５，３１…アンテナ、１６，３４…復調回路、１７，３５…復号回路、１８，３８…データ伝送アダプタ、１９１〜１９ｎ，２０，３７…モデム、２１…伝送帯域コントローラ、２２…監視部、３６…製作設備、３９…制御部、ＴＳ…親局、ＲＳ１，ＲＳ２…子局、ＳＡＴ…衛星、ＲＴ１，ＲＴ２…ルータ、ＴＥＬ１，ＴＥＬ２…電話機、ＳＶ１，ＳＶ２，ＳＶ３，ＳＶ４…サーバ装置。
【図１】
2007251773.tif 000003
【図２】
2007251773.tif 000004
【図３】
2007251773.tif 000005
【図４】
2007251773.tif 000006